(57)【要約】【課題】配線の引き回しが容易で、誤配線又は未配線箇所の発生を抑制することができ、電磁誘導ノイズによる誤動作を低減する。【解決手段】光源実装部５０ａは、箱体５４の底面に反射板５１が設けられており、その反射板５１に蛍光灯５２及びキセノン発光管５３が配置されている。反射板５１の各端部は筒状の空間５１ａを形成しており、筒状の空間５１ａに、蛍光灯５２及びキセノン発光管５３の各電極に接続されたツイストペア線５５，５６及び電線５７が引き回され、雌型コネクタ５９へ接続されている。また、各光源実装部に設けられた反射板５１は、図示しないアース線で相互に一点で接続されているため、電磁誘導ノイズを低減できる。更に、雄型コネクタ５９と点灯回路とを雄型コネクタを備えたツイストペア線で配線することにより、配線の引き回しが容易になり、誤配線又は未配線箇所の発生を抑制することができる。【選択図】　　　　図９
2004145142.tif 000002
【特許請求の範囲】
【請求項１】
複数の電気的な照明手段と、電力を各照明手段に供給する電力供給手段と、各照明手段が光照射する際の画像を撮影する撮影手段とを備える写真自動販売装置において、
前記電力供給手段から各照明手段への電力供給をオン／オフ制御するスイッチング素子を備え、
各照明手段は、前記電力供給手段に対して並列接続されていること
を特徴とする写真自動販売装置。
【請求項２】
前記スイッチング素子と前記照明手段とを接続する導体は、ツイストペア線であること
を特徴とする請求項１に記載の写真自動販売装置。
【請求項３】
複数のパネルによって構成された筐体と、前記照明手段を設けた光源実装部とを備え、
該光源実装部は前記パネルに配設されており、隣合うパネル間はヒンジを介して係合されていること
を特徴とする請求項１又は請求項２に記載の写真自動販売装置。
【請求項４】
前記パネルは、縁部が歪曲した筒状の空間を有する導電性の金属板であり、
前記筒状の空間に、前記導体が配置されていること
を特徴とする請求項３に記載の写真自動販売装置。
【請求項５】
前記パネルは、縁部が歪曲した筒状の空間を有するメッシュ形状の導電性金属を配設した非金属板であり、
前記筒状の空間に、前記導体が配置されていること
を特徴とする請求項３に記載の写真自動販売装置。
【請求項６】
前記光源実装部は、前記照明手段が出射する光を反射するための反射板を備えていること
を特徴とする請求項３乃至請求項５のいずれかに記載の写真自動販売装置。
【請求項７】
前記反射板は、縁部が歪曲した筒状の空間を有する導電性の金属板であり、
前記筒状の空間に、前記導体が配置されていること
を特徴とする請求項６に記載の写真自動販売装置。
【請求項８】
前記反射板の表面は、凹凸の形状を有すること
を特徴とする請求項６又は請求項７に記載の写真自動販売装置。
【発明の詳細な説明】
【０００１】
【発明の属する技術分野】
本発明は、写真自動販売装置に関し、特に、デジタルカメラで撮像した画像を画像印刷装置にて印刷媒体上に出力する写真自動販売装置に関する。
【０００２】
【従来の技術】
近年、ゲームセンター等の娯楽施設において、貨幣等の対価を投入することにより、自動的に写真を撮影し、画像印刷装置により、シール紙等の印刷媒体上に画像を印刷して出力する写真自動販売装置が数多く設置されている。
【０００３】
最近では、常時点灯させた蛍光灯等により被写体の撮影ポーズの画像をモニタで確認しながら、その構図を被写体たる利用者が自由に決定し、撮影時にキセノン発光管等の複数のストロボ照明により被写体に様々な角度から十分な光を照射して鮮明な画像を撮影し、シール紙等の印刷媒体上に画像を印刷して出力する写真自動販売装置が実用化されている（例えば、特許文献１参照。）。
【０００４】
キセノン発光管は、ガス入り放電管の一種で、透明なガラス管に少量のキセノンを封入して両端に電極を設けたもので、短時間の放電で単位時間当たりの光出力が大きく、また、赤外線から紫外線までほぼ一様なスペクトラムを有するため、写真撮影に適した演色性が良好な光を短い時間に集中して放射できる。従って、ストロボ照明を備えた写真自動販売装置は、撮影ポーズ確認時のイメージと、実際に印刷して出来上がった印刷媒体のイメージとを一致させ、品質の良好な写真を提供することができる。
【０００５】
【特許文献１】
特許第３２２６５２０号公報　（第１−１１頁）
【０００６】
【発明が解決しようとする課題】
しかしながら、従来、ストロボ照明に用いるキセノン発光管等を発光させるためには、３００〜４００Ｖ程度の直流電圧を出力する高圧電源をキセノン発光管等の発光体毎に配置させ、各高圧電源から発光体に電力（大電流パルス）を供給していた。従って、より高品位な画像を撮影すべく発光体の数が増加されれば、それにともない高圧電源及びそれに接続される配線が増加し、高圧電源用の電線及び発光体の発光タイミングを決定するトリガ信号線等の引き回しが乱雑になり、誤配線又は未配線箇所が発生するという問題があった。
【０００７】
また、重量及びコスト面から、プラスチック又は木製パネル等で構成されることが多いのでシールド困難な状況であるにもかかわらず、高圧電源から各配線へのクロストーク、及び携帯電話機器等の外部からの電磁誘導ノイズ等に起因するトラブルを防止すべく社会的なＥＭＣ（電磁適合性）の要請からも各配線の配置及びノイズのシールドを検討する必要があった。
【０００８】
更に、写真自動販売装置の組立作業は、一般に、写真自動販売装置の設置場所にて行われるため、作業者間の配線の引き回しを統一することが困難であり、ノイズの影響も変動するので原因不明の誤動作の要因となっていた。また、作業者は、ノイズの影響を極力低減すべく、配線の引き回し等を考えながら作業しなければならず、作業者の負担及び作業時間が多大になるという問題があった。
【０００９】
本発明は斯かる事情に鑑みてなされたものであり、高圧電源用の電線及び発光体の発光タイミングを決定するトリガ信号線等の配線の引き回しが容易で、誤配線又は未配線箇所の発生を抑制することができる写真自動販売装置の提供を目的とする。
【００１０】
また本発明は、高圧電源から各配線へのクロストーク、及び外部からの電磁誘導ノイズに起因する誤動作を低減することができる写真自動販売装置の提供を目的とする。
【００１１】
更に本発明は、予め筐体を構成する複数のパネルをヒンジを介して係合し、配線を配置されるべきパネルに固定しておくことにより、設置場所でパネルを回動すれば、簡単に筐体の組立と配線とが完成し、かつシールド効果が得られる写真自動販売装置の提供を目的とする。
【００１２】
【課題を解決するための手段】
請求項１に係る写真自動販売装置は、複数の電気的な照明手段と、電力を各照明手段に供給する電力供給手段と、各照明手段が光照射する際の画像を撮影する撮影手段とを備える写真自動販売装置において、前記電力供給手段から各照明手段への電力供給をオン／オフ制御するスイッチング素子を備え、各照明手段は、前記電力供給手段に対して並列接続されていることを特徴とする。
【００１３】
請求項２に係る写真自動販売装置は、前記スイッチング素子と前記照明手段とを接続する導体が、ツイストペア線であることを特徴とする。
【００１４】
請求項３に係る写真自動販売装置は、複数のパネルによって構成された筐体と、前記照明手段を設けた光源実装部とを備え、該光源実装部は前記パネルに配設されており、隣合うパネル間はヒンジを介して係合されていることを特徴とする。
【００１５】
請求項４に係る写真自動販売装置は、前記パネルが、縁部が歪曲した筒状の空間を有する導電性の金属板であり、前記筒状の空間に、前記導体が配置されていることを特徴とする。
【００１６】
請求項５に係る写真自動販売装置は、前記パネルが、縁部が歪曲した筒状の空間を有するメッシュ形状の導電性金属を配設した非金属板であり、前記筒状の空間に、前記導体が配置されていることを特徴とする。
【００１７】
請求項６に係る写真自動販売装置は、前記光源実装部が、前記照明手段が出射する光を反射するための反射板を備えていることを特徴とする。
【００１８】
請求項７に係る写真自動販売装置は、前記反射板が、縁部が歪曲した筒状の空間を有する導電性の金属板であり、前記筒状の空間に、前記導体が配置されていることを特徴とする。
【００１９】
請求項８に係る写真自動販売装置は、前記反射板の表面が、凹凸の形状を有することを特徴とする。
【００２０】
請求項１の発明にあっては、電力供給手段から各照明手段への電力供給をオン／オフ制御するスイッチング素子を備え、各照明手段が、電力供給手段に対して並列接続されていることにより、電力供給手段を一箇所に集約できる。従って、それを制御する制御回路及びトリガ回路も一箇所に集約することができるため、各配線の引き回しが容易である。
【００２１】
請求項２の発明にあっては、スイッチング素子と照明手段とを接続する導体が、ツイストペア線であることにより、外部電磁界によってツイストペア線内に誘起される電圧の方向が、交差部分を挟んで両側で互いに反対の方向となって相殺できるため、電磁誘導ノイズの影響を外部から受け難いとともに、電流の流れる方向がツイストペア線で互いに反対の方向になるため、電磁誘導ノイズを外部に輻射し難く、線路における耐ノイズ（シールド）及びクロストーク特性が向上する。
【００２２】
請求項３の発明にあっては、照明手段を設けた光源実装部は、筐体を構成する複数のパネルに配設されており、隣合うパネル間はヒンジを介して係合されていることにより、写真自動販売装置を組み立てる際に、設置場所で各パネルを回動させて固定すれば、簡単に筐体の組立と配線とが完成する。
【００２３】
請求項４の発明にあっては、パネルは、縁部が歪曲した筒状の空間を有する導電性の金属板であり、その筒状の空間に、スイッチング素子と照明手段とを接続する導体が配置されている、即ち、導電性の金属板が導体の周囲を覆う構成とすることにより、導体と大地との間に発生する静電誘導ノイズが抑制される。特に、導体にパルス性の高圧大電流が流れたとしても、電磁誘導ノイズが外部空間へ輻射されるのを抑制する。
【００２４】
請求項５の発明にあっては、パネルは、縁部が歪曲した筒状の空間を有するメッシュ形状の導電性金属を配設した非金属板であり、その筒状の空間に、スイッチング素子と照明手段とを接続する導体が配置されている、即ち、メッシュ形状の導電性金属が導体の周囲を覆う構成とすることにより、導体と大地との間に発生する静電誘導ノイズが抑制される。特に、導体にパルス性の高圧大電流が流れたとしても、電磁誘導ノイズが外部空間へ輻射されるのを抑制する。また、メッシュ形状の導電性金属は、適度の伸縮性と可塑性とがあるため加工が容易である。
【００２５】
請求項６の発明にあっては、照明手段が出射する光を反射するための反射板を備えることにより、照明手段が発光した光を光出射側に反射することができるので、照明手段の発光効率を高めることができる。
【００２６】
請求項７の発明にあっては、反射板が、縁部が歪曲した筒状の空間を有する導電性の金属板であり、その筒状の空間に導体が配置されている、即ち、導電性の金属板が導体の周囲を覆う構成とすることにより、導体と大地との間に発生する静電誘導ノイズが抑制される。特に、導体にパルス性の高圧大電流が流れたとしても、電磁誘導ノイズが外部空間へ輻射されるのを抑制する。
【００２７】
請求項８の発明にあっては、反射板の表面が、凹凸の形状を有することにより、照明手段から発光された光を拡散させる。
【００２８】
【発明の実施の形態】
以下、本発明をその実施の形態を示す図面に基づいて詳述する。
【００２９】
図１は、本発明に係る写真自動販売装置の全体構成を示す模式的斜視図である。本発明に係る写真自動販売装置は、正面に、撮影手段であるデジタルカメラ、並びに、正面用、前方左側面用、及び前方右側面用の光源実装部を設けた主筐体１０と、背面に、上面用、左側面用、及び右側面用の光源実装部を設けた副筐体２０と、主筐体１０の左上部、右上部、左下部、及び右下部から夫々副筐体２０まで達するよう突出され、主筐体１０及び副筐体２０に係止された４本の支柱３と、天板及び床板（不図示）とを備え、主筐体１０と副筐体２０とは適長離隔して配置されている。また、各支柱３の略中央に、ライト４が取り付けられ、更に、外部の光を遮光するためのカーテン５が吊設されている。そして、主筐体１０、副筐体２０、天板及び床板、並びにカーテン５で囲まれた空間が、被写体の撮影領域を形成している。
【００３０】
まず、主筐体１０について説明する。図２は主筐体１０の正面図であり、図３は図２のＩＩＩ−ＩＩＩ線における断面図であり、図４は図３の一部を拡大した断面図であり、図５は図２のＶ−Ｖ線における断面図である。主筐体１０は、複数の支柱（不図示）及び支柱にビス止めされたアルミニウム又は鉄等の導電性が優れた材質からなる複数のパネルを組み合わせることにより外形を構成し、そのパネルの表面及びパネルで構成された領域内部に後述する各種の装置が設けられている。
【００３１】
主筐体１０の略中央上部に、略円形の光透過率が優れたガラス等からなる撮影窓１１を略中央に配した平面視が略正方形のパネル１２と、そのパネル１２の周囲に平面視が略台形の４枚のパネル１３ａとが配設されている。また、パネル１２と各パネル１３ａとは、夫々２個のヒンジ１５ａを介して係合されており、ヒンジ１５ａは、ヒンジ軸１７ａを中心として回動できるように構成されている。そして、パネル１２とパネル１３ａとのなす角度が、所定値（図４の状態）になった際に、係止部材（不図示）により固定されている。
【００３２】
また、各パネル１３ａの略中央部に、乳白色のアクリル板等の光拡散板１６ａがパネル１３ａをくり抜いて配設され、更に、光拡散板１６ａの背面に、被写体を連続して光照射する連続照明手段である蛍光灯、及び被写体を撮影する際に被写体を光照射する複数のストロボ照明手段であるキセノン発光管を実装した光源実装部５０ａが主筐体１０の内部側に突出した状態で配設されている。
【００３３】
また、主筐体１０の左（右）に、平面視が略長方形のパネル１３ｂ（１３ｃ）が配設されており、パネル１３ｂ（１３ｃ）の略中央に、前述同様、乳白色のアクリル板等の光拡散板１６ｂ（１６ｃ）がパネル１３ｂ（１３ｃ）をくり抜いて夫々配設されている。また、光拡散板１６ｂ（１６ｃ）の背面に、蛍光灯及びキセノン発光管を実装した光源実装部５０ｂ（５０ｃ）が主筐体１０の内部側に突出した状態で配設されている。
【００３４】
そして、主筐体１０の内部に、撮影窓１１から被写体を撮影して画像データを生成するデジタルカメラ１４と、デジタルカメラ１４から画像データを受信して画像の色相、彩度、及び明度の補正等の画像処理を行なうコンピュータ装置２２と、コンピュータ装置２２から送信された画像処理後の画像データを受信し、受信した画像データに基づいて印刷媒体上に印刷する印刷装置２３とが設けられている。更に、後述する蛍光灯及びキセノン発光管に電力を供給する点灯回路２４が主筐体１０の右奥の一角に設けられている。
【００３５】
また、主筐体１０の内部に、投入された貨幣を保管する金庫（不図示）と、停電が発生した場合においても、バッテリ等により一定時間の間、電力を供給する無停電電源装置（不図示）とが設けられている。
【００３６】
また、主筐体１０の略中央に、傾斜状のパネル３１が配設されており、パネル３１の略中央に、被写体を撮影した画像の表示を行うとともに、撮影した画像にタッチペン等を用いて落書き等の編集を行った画像の表示を行う液晶ディスプレイ等の表示装置３２と、表示装置３２の右側に、種々の操作時における確認及び撮影時に押下する撮影／確認ボタン３３ａ、上方向を指示する上方向ボタン３３ｂ、及び下方向を指示する下方向ボタン３３ｃ等によって構成された入力装置３３とが設けられている。なお、表示装置３２の表面にタッチ入力が可能なタッチパネル等の装置を設けて入力操作の操作性を向上させてもよい。また、スピーカ等の音声出力部を設けて操作手順の音声案内及びその場の雰囲気を盛り上げるようなＢＧＭ等を出力してもよい。
【００３７】
また、パネル３１の下側に配設されたパネル３５には、利用料金である貨幣を投入する貨幣投入口３６及び釣銭を返却する貨幣返却口３７と、印刷された写真を放出する写真放出口３８と、前述した各種の装置のメンテナンス及び交換を容易にする開閉扉３９とが設けられている。
【００３８】
ここで、図６に示すように、パネル３１とパネル１３ａ、及びパネル３５とパネル３１は、ヒンジ１５ｃを介して係合され、ヒンジ１５ｃは、ヒンジ軸１７ｃを中心として回動できるように構成されて、更に、必要な配線８０が予め各パネルに固定されていることが好ましい。このようにすれば、梱包、運搬時には、パネル１３ａ、パネル１２、パネル１３ａ、パネル３１、及びパネル３５が平面となるようにヒンジ１５ａ，１５ｃを回動させ、形成された平面に段ボール又はエアクッション等の緩衝材４０を挟んで、主筐体１０の背面用のパネル３４と対向させれば、梱包、運搬に都合のよい形状にすることができる。また、組立時には、ヒンジ１５ａ，１５ｃを回動させ、パネル１３ａ、パネル１２、パネル１３ａ、パネル３１、及びパネル３５が所定の角度（図３の状態）になったことを確認し、係止部材（不図示）により各パネルを固定すれば、作業者が類似形状のパネルで混乱することも、各パネル間の配線の誤接続及び配線もれもなく、主筐体１０の組立が完了する。
【００３９】
次に、副筐体２０について説明する。図７は副筐体２０の断面図であり、図８は図７の一部を拡大した断面図である。副筐体２０は、複数の支柱（不図示）及び支柱にビス止めされたアルミニウム又は鉄等の導電性が優れた材質からなる複数のパネルを組み合わせることにより外形を構成し、そのパネルの表面及びパネルで構成された領域内部に各種の装置が設けられている。
【００４０】
副筐体２０は、その外観形状がアーチ状であり、その内側表面には、平面視が略長方形のパネル１３ｄ，１３ｅ，１３ｆが上面，左側面，右側面に夫々配設されている。また、パネル１３ｄ及びパネル１３ｅと、パネル１３ｄ及びパネル１３ｆとは、夫々ヒンジ１５ｂを介して係合されており、ヒンジ１５ｂは、ヒンジ軸１７ｂを中心として夫々回動できるように構成されている。そして、パネル１３ｄとパネル１３ｅとのなす角度、及びパネル１３ｄとパネル１３ｆとのなす角度が、所定値（図８（ａ）及び（ｂ）の状態）となった際に、係止部材（不図示）により固定されている。従って、前述した主筐体１０と同様に、梱包、運搬時には、ヒンジ１５ｂを回動することにより、パネル１３ｄとパネル１３ｅとパネル１３ｆとを梱包、運搬に都合のよい形状にすることができ、また、組立時には、ヒンジ１５ｂを係止することにより、パネル１３ｄとパネル１３ｅとのなす角度、及びパネル１３ｄとパネル１３ｆとのなす角度を所定値とすることができる。
【００４１】
そして、各パネル１３ｄ，１３ｅ，１３ｆの略中央部に、乳白色のアクリル板等の光拡散板１６ｄ，１６ｅ，１６ｆがパネル１３ｄ，１３ｅ，１３ｆをくり抜いて配設され、また、光拡散板１６ｄ，１６ｅ，１６ｆの背面に、蛍光灯及びキセノン発光管を実装した光源実装部５０ｄ，５０ｅ，５０ｆが副筐体２０の内部側に突出した状態で配設されている。
【００４２】
次に、光源実装部について説明する。光源実装部５０ａ，５０ｂ，５０ｃ，５０ｄ，５０ｅ，５０ｆは、形状が夫々異なるが、構成については同様であるため、以下、光源実装部５０ａを説明して他の説明を省略する。
【００４３】
図９は、光源実装部５０ａの斜視図である。光源実装部５０ａは、底面が略台形の形状を有し、一方の台形面を取り去った箱体５４からなり、箱体５４の底面に、アルミニウム製の平面視が略台形の反射板５１が配設されており、その反射板５１の略中央に一本の蛍光灯５２が配置され、また、その蛍光灯５２の両側には２本のキセノン発光管５３が夫々配置されている。反射板５１の各辺が折り返されることにより、反射板５１の各端部は筒状の空間５１ａを形成している。
【００４４】
そして、蛍光灯５２の各電極に夫々接続されたツイストペア線５５は、その外側を絶縁性の外装部６０によって被覆され、また、各キセノン発光管５３のアノード電極及びカソード電極に夫々接続されたツイストペア線５６、並びに、各キセノン発光管５３のトリガ電極に接続された電線５７は、同様に外装部６０によって被覆されている。そして夫々の配線は、筒状の空間５１ａ内に引き回され、光源実装部５０ａの一角に設けた配線用穴５８から光源実装部５０ａの外側に引き回されて、同じく一角に設けた雌型コネクタ５９の所定の端子へ接続されている。ここで、各光源実装部に配設された反射板５１は、図示しないアース線で相互に一点で接続されている。
【００４５】
また、箱体５４の内面は、蛍光灯５２及びキセノン発光管５３の光を効率よく反射できるよう、白色等の光反射性に優れた色で塗装がなされていることが望ましく、もちろん、箱体５４自体がアルミニウム又はステンレス等の光反射性が優れた材質からなり、反射板５１を兼用するような構成であってもよい。
【００４６】
従って、反射板５１は、出射方向に対して反対方向に発光した蛍光灯５２及び各キセノン発光管５３の光を反射して出射方向に方向を転換することができ、光利用効率を向上することができる。また、反射板５１からなる筒状の空間５１ａに、ツイストペア線５５，５６及び電線５７を引き回すことにより、反射板５１は、ツイストペア線５５，５６及び電線５７と大地との間に発生する静電誘導ノイズを抑制する電磁シールドとなる。
【００４７】
次に、点灯回路２４の構成について説明する。点灯回路２４は、蛍光灯用の点灯回路とキセノン発光管用の点灯回路とから構成されている。蛍光灯５２は、常時点灯させておく必要があり、蛍光灯用の点灯回路は、例えば、写真自動販売装置の主電源がオンとなった時点で電力を安定して蛍光灯５２に供給する構成をしていればよい。
【００４８】
図１０は、蛍光灯用の点灯回路の構成の一例を示す構成図である。蛍光灯用の点灯回路６２は、光源実装部５０ａ，５０ｂ，…，５０ｆの蛍光灯５２の夫々に対して、商用交流電源６３より安定回路８８を経由して、蛍光灯５２を発光させる電流を安定化させる。蛍光灯５２は、蛍光管８９と、これに並列接続された点灯のためのスイッチングを行う点灯管９０とを備える。図中、一対の配線を撚り合わせた部分はツイストペア線を示す。ここで、ツイストペアとなっている配線部分は、ノイズ発生源から見て、バランスしているため、誘導電流が交差部分を挟んで両側で互いに反対の方向となって相殺できるため、電磁誘導ノイズの影響を受け難いが、一方、ツイストペアとなっていない配線部分は、ノイズ発生源から誘導される電磁誘導ノイズの影響を受けるため、その配線部分の経路で囲まれる面積（同図、ハッチングで示す）を可能な限り減少することが好ましい。例えば、蛍光灯５２への配線も可能な限り蛍光灯の近傍までツイストペア線を用いて配線する。
【００４９】
一方、キセノン発光管５３は、撮影の際、即ち撮影／確認ボタン３３ａの押下時に、そのタイミングに同期して点灯させる必要がある。キセノン発光管用の点灯回路は、撮影／確認ボタン３３ａの押下を識別して撮影開始信号を生成し、生成した撮影開始信号に基づいてトリガ制御信号を生成し、そのトリガ制御信号を電力供給のオン／オフを制御するタイミングとすればよく、スイッチング素子としては、例えば、サイリスタ（シリコン制御整流素子）を用いて、電力をキセノン発光管５３に供給する構成をしている。
【００５０】
図１１は、キセノン発光管用の点灯回路の構成の一例を示す構成図である。キセノン発光管用の点灯回路６１は、商用交流電源６３より変圧回路６４を経由して所望の電圧（３００〜４００Ｖ）に昇圧し、整流回路６５にて正極性の電圧（電流）成分を抽出し、平滑回路６６にて電圧（電流）の変動（リップル）率を抑える。
【００５１】
変圧回路６４は、例えば、２つの巻線（コイル）から構成され、１次コイルと２次コイルとの巻数の比から昇圧率が決定される変圧器（トランス）とすればよい。また、整流回路６５は、例えば、４つの整流素子を用いたブリッジ回路から構成され、交流の正極成分をそのまま出力し、かつ負極成分を反転して出力する全波整流回路とすればよい。また、平滑回路６６は、例えば、所定の抵抗及びコンデンサから構成され、コンデンサに充放電を繰り返す積分回路とすればよい。もちろん所定の抵抗の代わりに所定のチョークコイルを用いれば抵抗による電力損失をなくすことができる。
【００５２】
そして、平滑回路６６の後段には、前述した光源実装部に配設されたキセノン発光管５３の発光をオン／オフ制御するサイリスタ等のスイッチング素子６７とキセノン発光管５３の放電を開始させるためのトリガ回路６８とが接続されている。そして、各キセノン発光管５３とスイッチング素子６７とは、キセノン発光管５３が負性抵抗を有するので、バランス抵抗６７ａを介して接続されている。スイッチング素子６７は、平滑回路６６の正極性側の出力を入力し、トリガ制御信号ＳＩＧをゲートに夫々入力している。一方、平滑回路６６の負極性側の出力はすべて接地されている。トリガ回路６８は、例えば、積分回路とトランスとから構成されており、積分回路のコンデンサに抵抗を通して充電され、スイッチを入れるとトリガ回路６８のコンデンサに充電された電荷がトランスの１次コイル側を通して放電し、２次コイル側に数千Ｖのパルス電圧（トリガ信号）を発生するような構成であればよい。そして、スイッチング素子６７は、トリガ制御信号ＳＩＧに同期した高圧電流を出力することにより、トリガ電極５３ｔとカソード電極５３ｃとの間でトリガ放電し、すぐにカソード電極５３ｃ，アノード電極５３ａ間の各負荷間のバランスがバランス抵抗６７ａでとられた主放電へ移行し、各キセノン発光管５３中のイオン化されたキセノン原子がカソード電極５３ｃより飛び出す電子と衝突して励起され、各キセノン発光管５３が同時に発光できるように構成されている。
【００５３】
もちろん、トリガ制御信号は、すべてのキセノン発光管５３を同時に発光させるのではなく、選択したキセノン発光管５３を個別に発光させるように制御する信号であってもよい。即ち、例えば、利用者が、正面、前方左側面、前方右側面、上面、左側面、右側面、又はその組合せのキセノン発光管５３のいずれを用いて撮影するのかを選択し、入力装置３３からその情報を入力する。そして、その情報と撮影開始信号とに基づいて、光源実装部５０ａ用のトリガ制御信号ＳＩＧ−ａ、光源実装部５０ｂ用のトリガ制御信号ＳＩＧ−ｂ、光源実装部５０ｃ用のトリガ制御信号ＳＩＧ−ｃ、光源実装部５０ｄ用のトリガ制御信号ＳＩＧ−ｄ、光源実装部５０ｅ用のトリガ制御信号ＳＩＧ−ｅ、及び、光源実装部５０ｆ用のトリガ制御信号ＳＩＧ−ｆを生成する。そして、図１２に示すように、トリガ制御信号として、個別のトリガ制御信号ＳＩＧ−ａ，ＳＩＧ−ｂ，…，ＳＩＧ−ｆを用い、夫々のスイッチング素子６７のゲートに入力してもよい。このような構成にすれば、スイッチング素子６７は、バランス抵抗６７ａ，６８ｂを用いないため、抵抗による電力損失なく、各トリガ制御信号ＳＩＧ−ａ，ＳＩＧ−ｂ，…，ＳＩＧ−ｆに同期した高圧電流を出力することにより、夫々のキセノン発光管５３を個別に発光できる。また、写真自動販売装置に貨幣等の対価が投入された時点で、キセノン発光管５３を予備発光させることが好ましく、予備発光により、撮影時の主発光（主放電）を安定化させることができる。更に、この予備発光の状況をモニターすることにより、キセノン発光管５３の寿命等に起因する未発光を検出して利用中止の警告を通知する。こうすることで、利用者が、様々の入力をしたにもかかわらず、キセノン発光管５３が発光せず撮影ができないという事態を防止できる。また更に、撮影の１〜３秒前に１回〜数回、予備発光させることにより、赤目現象を軽減できる。そして、予備発光を撮影のカウントダウンに使うならば、３，２，１秒前に予備発光を各１回行えばわかりやすい。
【００５４】
図１３は、点灯回路２４の外観を示す斜視図である。点灯回路２４は、前述したような回路構成をしており、入力側に、商用交流電源６３に接続するためのＡＣ線７１を備え、出力側に、蛍光灯５２に電力を供給する一対の電線、各キセノン発光管５３に電力を供給するアノード電極５３ａ及びカソード電極５３ｃ用の一対の電線、並びに、各キセノン発光管５３のトリガ電極５３ｔに電力を供給する電線を所定の端子に接続された雌型コネクタ７２ａ，７２ｂ，７２ｃ，７２ｄ，７２ｅ，７２ｆを備えている。なお、雌型コネクタ７２ａには、光源実装部５０ａに設けられた蛍光灯５２及びキセノン発光管５３に電力を供給するための電線が接続されている。同様に、雌型コネクタ７２ｂ，７２ｃ，…，７２ｆには、光源実装部５０ｂ，５０ｃ，…，５０ｆに設けられ蛍光灯５２及びキセノン発光管５３に電力を供給するための電線が夫々接続されている。もちろん、４つの光源実装部５０ａが存在するため、点灯回路２４は雌型コネクタ７２ａを４つ備えている。
【００５５】
次に、点灯回路２４と蛍光灯５２及びキセノン発光管５３との接続について説明する。前述したように、点灯回路２４は、その出力側に、雌型コネクタ７２ａ，７２ｂ，…，７２ｆを備え、一方、光源実装部５０ａ，５０ｂ，…，５０ｆは、蛍光灯５２及びキセノン発光管５３の各電極に接続された雌型コネクタ５９を備えている。従って、点灯回路２４に備えた雌型コネクタ７２ａ，７２ｂ，…，７２ｆと光源実装部５０ａ，５０ｂ，…，５０ｆに備えた雌型コネクタ５９との間を、両端に雄型コネクタを備えたツイストペア線で接続すればよい。これにより、蛍光灯５２及びキセノン発光管５３は、夫々平滑回路６６、即ち点灯回路２４に対して並列接続されることになる。更に、ノイズが強力な場合は、ツイストペア線の外側をシールドしたシールド付ツイストペア線を用い、シールドを一点アースすることで、より効果的にノイズの出入を防止できる。
【００５６】
図１４は、点灯回路２４と主筐体１０に設けた光源実装部５０ａとの接続状態を示す配線図である。なお、主筐体１０は光源実装部５０ａを４つ備えているが、配線の引き回し状態が分かりやすいように、上部の光源実装部５０ａのみを配線した状態を図１４に示す。主筐体１０の右側面（同図左側：図１４は、主筐体１０の背面から斜視しているため、このように表現する。）に設けた略長方形のパネル８１ａは、アルミニウム又は鉄等の導電性が優れた材質からできており、その各辺が主筐体１０の内側へ折り返される（同図破線で示す、以下同じ）ことにより、パネル８１ａの各端部は筒状の空間９２ａを形成している。同様に、前述のパネル１３ａ，１３ｂ，１３ｃは、その各辺が主筐体１０の内側へ折り返されることにより、パネル１３ａ，１３ｂ，１３ｃの各端部は筒状の空間９１ａ，９１ｂ，９１ｃを夫々形成している。
【００５７】
そして、点灯回路２４と光源実装部５０ａとを接続する電線であるツイストペア線８３は、両端に雄型コネクタ８５を夫々備えており、一端の雄型コネクタ８５が点灯回路２４に設けた雄型コネクタ７２ａに接続されている。そして、ツイストペア線８３は、筒状の空間９２ａ，９１ｃ，９１ａ内に順次引き回され、他端の雄型コネクタ８５が光源実装部５０ａに設けた雌型コネクタ５９に接続されている。また、点灯回路２４と光源実装部５０ｂ，５０ｃとの接続は、前述した光源実装部５０ａと同様であるので、その説明を省略する。
【００５８】
図１５は、点灯回路２４と副筐体２０に設けた光源実装部５０ｄとの接続状態を示す配線図である。副筐体２０の右側面（同図左側の側面：図１５は、主筐体１０の背面から斜視しているため、このように表現する。以下同じ）及び右底面（同図左側の底面）に設けた略長方形のパネル８１ｂ，８１ｃは、アルミニウム又は鉄等の導電性が優れた材質からできており、その各辺が副筐体２０の内側へ折り返される（同図破線で示す、以下同じ）ことにより、パネル８１ｂ，８１ｃの各端部は筒状の空間９２ｂ，９２ｃを形成している。同様に、前述のパネル１３ｄ，１３ｅ，１３ｆは、その各辺が副筐体２０の内側へ折り返されることにより、パネル１３ｄ，１３ｅ，１３ｆの各端部は筒状の空間９１ｄ，９１ｅ，９１ｆを夫々形成している。また、主筐体１０と副筐体２０とを連結する支柱３は、アルミニウム又は鉄等の導電性が優れた材質からできており、その断面は筒状の空間３ａを有する。そして、支柱３とパネル８１ａ，８１ｂとの接触面の適当な領域に、配線用穴９５ａ，９５ｂが夫々設けてある。
【００５９】
そして、点灯回路２４と光源実装部５０ｄとを接続する電線であるツイストペア線８３は、両端に雄型コネクタ８５を夫々備えており、一端の雄型コネクタ８５が点灯回路２４に設けた雄型コネクタ７２ｄに接続されている。そして、ツイストペア線８３は、筒状の空間９２ａ，配線用穴９５ａ，筒状の空間３ａ，配線用穴９５ｂ，筒状の空間９２ｂ，９２ｃ，９１ｆ，９１ｄ内に順次引き回され、他端の雄型コネクタ８５が光源実装部５０ｄに設けた雌型コネクタ５９に接続されている。また、点灯回路２４と光源実装部５０ｅ，５０ｆとの接続は、前述した光源実装部５０ｄと同様であるので、その説明を省略する。
【００６０】
これにより、点灯回路２４と蛍光灯５２及びキセノン発光管５３とが接続され、かつ、外部電磁界によってツイストペア線８３内に誘起される電圧の方向が、交差部分を挟んで両側で互いに反対の方向となって相殺できるため、電磁誘導ノイズの影響を外部から受け難いとともに、電流の流れる方向がツイストペア線８３で互いに反対の方向になるため、電磁誘導ノイズを外部に輻射し難く、線路における耐ノイズ（シールド）及びクロストーク特性が向上する。また各パネルが導電性に優れた材質であり、パネルの端部に設けた筒状の空間がツイストペア線８３の周囲を覆う構成とすることにより、ツイストペア線８３と大地との間に発生する静電誘導ノイズが抑制される。特に、ツイストペア線８３にパルス性の高圧大電流が流れたとしても、電磁誘導ノイズが外部空間へ輻射されるのを抑制する。もちろん、点灯回路２４と蛍光灯５２及びキセノン発光管５３とを接続するツイストペア線８３の代わりに同軸線を用いてもよい。
【００６１】
このように構成した写真自動販売装置は、梱包、運搬時には、パネルに設けたヒンジ１５ａ，１５ｂ，１５ｃを回動して梱包、運搬に都合のよい形状にすることができ、また、組立時には、所定の角度になるようヒンジ１５ａ，１５ｂ，１５ｃを係止すればよいため、写真自動販売装置を設置する設置場所におけるネジ止め作業を減少できる。また、点灯回路２４及び光源実装部５０ａ，５０ｂ，…，５０ｆに配設された雌型コネクタ５９間を、両端に雄型コネクタ８５を夫々備えたツイストペア線８３で接続すれば配線が完了するため、設置場所における配線作業が減少できる。更に、光源実装部５０ａ，５０ｂ，…，５０ｆに設けた夫々の雌型コネクタ５９，５９，…，５９及び点灯回路２４に設けた夫々の雌型コネクタ７２ａ，７２ｂ，…，７２ｆの形状が、夫々異なるものを意図的に用い、かつ、ツイストペア線８３の両端に備えた夫々の雄型コネクタ８５を夫々の接続すべき雌型コネクタ５９，５９，…，５９，７２ａ，７２ｂ，…，７２ｆに合致するものを用いることにより、組立時の誤配線を防止することができる。
【００６２】
なお、本実施形態では、主筐体１０及び副筐体２０に用いたパネルは、アルミニウム又は鉄等の導電性が優れた材質からできているとしたが、これに限定されるものではなく、エキスパンドメタル等のメッシュ形状の導電性金属を配設した木製、プラスチック製、又は紙製等の非金属板であってもよく、その導電性金属の端部を折り曲げて筒状の空間を形成して、形成した筒状の空間にツイストペア線８３が配線されていてもよい。また、エキスパンドメタルは、適度の伸縮性と可塑性とがあるため加工が容易である。また、木製、プラスチック製、又は紙製等のパネルを用いることにより、写真自動販売装置の重量を軽量化できるため、運搬時及び組立時の作業効率を向上することができる。更に、エキスパンドメタルとして、表面に導電性の表面処理がなされているものを用い、折り曲げて筒状の空間を形成し、形成した筒状の空間にツイストペア線８３を収納して、筒の一端と他端とを接触すればシールド効果が向上する。
【００６３】
また、例えば図１６に示すように、パネル１２，１３ａのヒンジ１５ａ接触面に傾斜を形成すれば、組立完成時に要求されるパネル１２とパネル１３ａとのなす角度が所定値となった際、パネル１２とパネル１３ａとは、その角度を超える回動ができないため、更に、組立時の作業効率を向上でき、並びに、装置の出来映えのばらつきをも抑制できる。
【００６４】
また、パネル１２とパネル１３ａとを固定式のヒンジで１５ａで係合し、パネル１３ｄとパネル１３ｅとパネル１３ｆとを固定式のヒンジで１５ｂで係合する形態について説明したが、各パネルを梱包、運搬時に分割せざるを得ない場合には、着脱式のヒンジを予め各パネルに取り付けておき、組立時に各パネルを係合するようにすればよい。例えば図１７に示すように、パネル１２に脱着式の雄型ヒンジ１８を、その係合軸が上方を向くように取り付け、一方、左右方向のパネル１３ａに脱着式の雌型ヒンジ１９を、その係合穴が下方を向くように取り付けておく。そして、組立時に、同図一点鎖線で示すように、雄型ヒンジ１８の係合軸と雌型ヒンジ１９の係合穴とを係合させることにより、パネル１２及びパネル１３ａの組立が完了するとともに、パネル１３ａ自体の重量により、パネル１３ａをパネル１２へ係合させる際の作業者の労力を軽減できる。更に、端部に雄型コネクタ８５を取り付けたツイストペア線８３を予めパネルに取り付け、作業者がパネルへの配線に関与することをなくすことにより、常に一定の配線実装ができるため、配線の配置で左右される耐ノイズ特性の一定化及び作業の効率化が図れる。
【００６５】
また、光源実装部５０ａ，５０ｂ，…，５０ｆに配設された反射板５１の表面形状が平面である形態について説明したが、これに限定されるものではない。例えば図１８の光源実装部の断面図に示すように、箱体５４の内側に、凹凸の表面形状を有する反射板５１を配設し、キセノン発光管５３が箱体５４の底面に向かって発光するようにすれば、キセノン発光管５３から発光された光がより拡散するため、被写体をくまなく一様に光照射することになる。また、反射板５１は、適度の強度を持つ板厚とすることで、光源実装部５０ａ，５０ｂ，…，５０ｆを兼用することが可能であり、蛍光灯５２及びキセノン発光管５３から生じる熱エネルギーの放熱性に優れる。
【００６６】
また、ツイストペア線は、撚りピッチを、外部からの電磁波の波長λより十分短い間隔（例えば、λ／１０）以下とすることが望ましい。例えば、電子回路にとって強力なノイズ源である携帯電話に用いられる８００ＭＨｚ及び１．５ＧＨｚの電磁波の影響を低減するために、撚りピッチを、その電磁波の波長λである３７５ｍｍ及び２００ｍｍの短い方の１／１０以下である２０ｍｍ以下とすれば、その電磁波によって電線内に誘導される電流の方向が、交差部分を挟んで両側で互いに反対の方向となって相殺できるため、その電磁波の影響が低減される。もちろん、撚りピッチは、さらに短い間隔が好ましい。
【００６７】
また、支柱３がアルミニウム又は鉄等の導電性に優れた材質からできている形態について説明したが、支柱３がプラスチック等の非導電性の材質からできている場合、導電性に優れたニッケル等の無電解金属メッキがなされたものであってもよい。
【００６８】
更に、印刷装置２３が主筐体１０内に設けられた形態について説明したが、これに限定されるものではなく、印刷装置２３を別体に設けてもよい。その際には、主筐体１０側で生成した画像データを、通信装置を介して別体側の印刷装置２３へ送信して、受信した画像データに基づいて印刷媒体上に印刷する構成とすればよい。
【００６９】
【発明の効果】
以上詳述した如く本発明に係る写真自動販売装置によれば、電力供給手段から各照明手段への電力供給をオン／オフ制御するスイッチング素子を備え、各照明手段が、電力供給手段に対して並列接続されていることにより、電力供給手段を一箇所に集約し、それを制御する制御回路及びトリガ回路も一箇所に集約することができるため、各配線の引き回しが容易で、誤配線又は未配線箇所の発生を抑制することができる。
【００７０】
また本発明の写真自動販売装置によれば、スイッチング素子と照明手段とを接続する導体が、ツイストペア線であることにより、外部電磁界によってツイストペア線内に誘起される電圧の方向が、交差部分を挟んで両側で互いに反対の方向となって相殺できるため、電磁誘導ノイズの影響を外部から受け難いとともに、電流の流れる方向がツイストペア線で互いに反対の方向になるため、電磁誘導ノイズを外部に輻射し難く、線路における耐ノイズ（シールド）及びクロストーク特性が向上し、高圧電源から各配線へのクロストーク及び外部からの電磁誘導ノイズによる誤動作を低減することができる。
【００７１】
更に本発明の写真自動販売装置によれば、照明手段を設けた光源実装部は、筐体を構成する複数のパネルに配設されており、隣合うパネル間はヒンジを介して係合されていることにより、写真自動販売装置を組み立てる際に、設置場所で各パネルを回動させて固定すれば、簡単に筐体の組立と配線とが完成する。また、パネルは、縁部が歪曲した筒状の空間を有する導電性の金属板、又は、縁部が歪曲した筒状の空間を有するメッシュ形状の導電性金属を配設した非金属板とし、その筒状の空間に導体が配置されていることにより、電線と大地との間に発生する静電誘導ノイズが抑制され、静電誘導ノイズによる誤動作を低減することができる。更に、工場にて、パネルに予め配線を実装するようにすれば、配線の配置で左右される耐ノイズ特性を一定にすることができる等、優れた効果を奏する。
【図面の簡単な説明】
【図１】本発明に係る写真自動販売装置の全体構成を示す模式的斜視図である。
【図２】主筐体の正面図である。
【図３】図２のＩＩＩ−ＩＩＩ線における断面図である。
【図４】図３の一部を拡大した断面図である。
【図５】図２のＶ−Ｖ線における断面図である。
【図６】主筐体を構成するパネルの梱包、運搬時の状態を示す図である。
【図７】副筐体の断面図である。
【図８】図７の一部を拡大した断面図である。
【図９】光源実装部の斜視図である。
【図１０】蛍光灯用の点灯回路の構成の一例を示す構成図である。
【図１１】キセノン発光管用の点灯回路の構成の一例を示す構成図である。
【図１２】キセノン発光管用の点灯回路の他の構成例を示す構成図である。
【図１３】点灯回路の外観を示す斜視図である。
【図１４】点灯回路と主筐体に設けた光源実装部との接続状態を示す配線図である。
【図１５】点灯回路と副筐体に設けた光源実装部との接続状態を示す配線図である。
【図１６】パネルの係合状態の他の一例を示す図である。
【図１７】パネルを係合するヒンジに脱着式のヒンジを用いた例を示す図である。
【図１８】光源実装部の他の一例における断面図である。
【符号の説明】
１０　主筐体
１２，１３ａ，１３ｂ，１３ｃ，１３ｄ，１３ｅ，１３ｆ，３１，３４，３５，８１ａ，８１ｂ，８１ｃ　パネル
１４　デジタルカメラ
１５ａ，１５ｂ，１５ｃ　ヒンジ
１７ａ，１７ｂ，１７ｃ　ヒンジ軸
１８　雄型ヒンジ
１９　雌型ヒンジ
２０　副筐体
２３　印刷装置
２４　点灯回路
５０ａ，５０ｂ，５０ｃ，５０ｄ，５０ｅ，５０ｆ　光源実装部
５１　反射板
５２　蛍光灯
５３　キセノン発光管
５５，５６，８３　ツイストペア線
６３　商用交流電源
６４　変圧回路
６５　整流回路
６６　平滑回路
６７　スイッチング素子
６８　トリガ回路
【図１】
2004145142.tif 000003
【図２】
2004145142.tif 000004
【図３】
2004145142.tif 000005
【図４】
2004145142.tif 000006
【図５】
2004145142.tif 000007
【図６】
2004145142.tif 000008
【図７】
2004145142.tif 000009
【図８】
2004145142.tif 000010
【図９】
2004145142.tif 000011
【図１０】
2004145142.tif 000012
【図１１】
2004145142.tif 000013
【図１２】
2004145142.tif 000014
【図１３】
2004145142.tif 000015
【図１４】
2004145142.tif 000016
【図１５】
2004145142.tif 000017
【図１６】
2004145142.tif 000018
【図１７】
2004145142.tif 000019
【図１８】
2004145142.tif 000020